(57)【要約】【課題】二輪車の後方側からも簡単に被覆できる車体カバーを提供すること。【解決手段】二輪車の車体の全体を被覆できる立体的形状に形成した底面開口の車体カバー10であって、その底面開口の周縁部の全体又は一部に重り部材を配設した。前記底面開口の周縁部を把持した状態で、二輪車の上方から投げ掛け被覆するようにして前記重り部材の重力によって前記二輪車用車体カバー10の底面開口周縁部が下方に落下して前記二輪車の全体を被覆するようにして装着することができる。重り部材として線状で且つ変形自在の金属チェーン20cを使用し、これを車体カバーの底面開口周縁部に設けた挿通部20内に挿通配設した。重り部材は複数の金属球を間隔を維持して又は連続的に紐状部材で連結したものでもよい。【選択図】図１
2019196026.tif 000002
【特許請求の範囲】
【請求項１】
二輪車の車体の全体を被覆できる立体的形状に形成した底面開口の二輪車用車体カバーにおいて、
前記底面開口の周縁部の全体又は一部に重り部材を配設し、
前記底面開口の周縁部を二輪車の上方から投げ掛け被覆するようにして、前記重り部材の重力によって前記二輪車用車体カバーの底面開口周縁部が下方に落下して前記二輪車の全体を被覆するようにして装着することができることを特徴とする二輪車用車体カバー。
【請求項２】
前記重り部材が線状で且つ変形自在に形成されたものから成り、
この重り部材を前記二輪車用車体カバーの底面開口周縁部に設けた挿通部内に挿通配設したことを特徴とする請求項１に記載の二輪車用車体カバー。
【請求項３】
前記重り部材が金属製チェーン、若しくは、複数の金属球を間隔を維持して又は連続的に紐状部材で連結したものであることを特徴とする請求項２に記載の二輪車用車体カバー。
【請求項４】
前記重り部材が金属球又は金属リングからなり、この重り部材を所定間隔を維持して前記底面開口周縁部の全部又は一部に複数固定したことを特徴とする請求項１に記載の二輪車用車体カバー。
【請求項５】
前記二輪車用車体カバーの後部上下方向にスライドファスナーを設けて開閉部としたことを特徴する請求項１乃至４の何れか１項に記載の二輪車用車体カバー。
【請求項６】
前記二輪車用車体カバーの底面開口周縁部の後方側に挿通部を更に設け、この挿通部の略中央部には出口部を設け、この挿通部内に前記底面開口周縁部を収束するための収束帯状部材を少なくとも一対配設し、この一対の収束帯状部材の一方端部は挿通部内の両端に固定し、その他方端部はそれぞれ前記出口部から外部に取り出し相互に係着して前記底面開口周縁部を収束できることを特徴とする請求項１乃至５の何れか１項に記載の二輪車用車体カバー。
【請求項７】
前記二輪車用車体カバーの上部前端部又は上部後端部に持ち手を設け、前記二輪車用車体カバーの下方部の前方部又は下方部の後方部にはリング錠を挿通するための錠挿通孔を設けたことを特徴とする請求項１乃至６の何れか１項に記載の二輪車用車体カバー。
【発明の詳細な説明】
【技術分野】
【０００１】
本発明はモーターバイク等の自動二輪車（以下、単に「バイク」という。）や自転車の車体の全体を被覆できる二輪車用の車体カバーに関するものであって、二輪車への被覆装着の容易性をより向上させたものに関する。
【背景技術】
【０００２】
従来のバイクや自転車の車体カバーとしては各種のものが存在するが、通常は表面に防水加工が施されたポリエステル等の合成繊維製生地を使用し、上面被覆部、両側面被覆部等の複数枚の構成生地を縫製し、車体の外形形状に適合するように立体的に形成したものである。
【０００３】
そして、カバーが風等によって飛ばされないように、或いは埃の侵入防止等のために、カバーの底面開口周縁部の適宜位置には、カバーを車体に固定するための各種の固定手段が設けられたものが存在している。
【０００４】
下記特許文献に記載の車体カバーは、本願出願人が先に提案したものであるが、特許文献１に記載の二輪車用車体カバーにおいては、二輪車の全体に簡単に被覆でき且つ簡単に開口部を開放できることを課題としている。
【０００５】
その構成は、切込ラインをカバーの両側のそれぞれの側面部に前方から後方に向かって設け、これらの切込ラインの後方端部を相互に連結したものである。これらの切込ラインの前端部分でカバーの下半部と上半部とが接続する。この切込ラインの後端部の上下の両縁部には一対の係着部材と舌片を設ける。切込ラインにはスライドファスナーを設けた。
【０００６】
そして、使用に際しては、カバーの底面部上に二輪車を載置してカバー前端部分を二輪車のハンドル部に被覆し、後端部の係着部材を相互に係着し、両側側面部のスライドファスナーを閉鎖して二輪車の全体を被覆できる。他方、前記舌片を片手で把持して係着部材を離脱させ、前方に向かって移行させることにより両側のスライドファスナーが同時に開放されて二輪車を取り出せる。
【０００７】
下記特許文献２に記載の車体カバーは、自転車に掛けやすく、防水効果が高い自転車用車体カバーを提供することを課題とする。
その構成は、車体カバーの前部上下方向に前部スライドファスナーを設け、カバーの後部上下方向に後部スライドファスナーを設けたものである。
これら両スライドファスナーを開放してカバーを略平面状態として自転車に被覆し、その後両スライドファスナーを閉鎖して被覆装着が完了する。
【０００８】
前部スライドファスナーを黄色に、後部スライドファスナーを灰色に着色した。前部スライドファスナー及び後部スライドファスナーのそれぞれに帯状の覆い部を設け、この覆い部の長辺をそれぞれのファスナーの上下方向の一方の側縁に沿って縫着し、それぞれのファスナーの上端部の上方に位置する覆い部の上端短辺部をカバーに縫着した。覆い部の中間部には複数の係着片を設けた。カバー下端にはカバーの両下端部を相互に係着できる係着帯設けたものである。
【０００９】
下記特許文献３に記載の車体カバーにおいては、車体カバーを二輪車に被覆し易くし、被覆したままその一部を開口できる二輪車用車体カバーを提供することを課題とする。
その構成は、車体カバーの側面部の上下方向にスライドファスナーを設け、スライダーを２個設ける。上スライダー及び下スライダーを上端部に位置させた状態でスライドファスナーは全開となり、使用者は車体カバー２０を二輪車に被覆できる。
【００１０】
他方使用者が下スライダーのみを下端部まで移動させることにより、スライドファスナーは全て閉鎖される。この閉鎖状態で、上端部に位置する上スライダーを下方に移動させることによりその移動分だけファスナーが開放され開口部を形成できる。この開口部から内部の電動アシスト自転車のバッテリーを交換できるようにした。
【先行技術文献】
【特許文献】
【００１１】
【特許文献１】特開２０１５−１２０４９５号公報
【特許文献２】実用新案登録第３１７３５３２号公報
【特許文献３】実用新案登録第３１９２６２６号公報
【発明の概要】
【発明が解決しようとする課題】
【００１２】
本発明においても、上記特許文献に記載の車体カバーと同様に二輪車への被覆装着をより簡単に行えることを目的とするものであるが、スライドファスナー等のカバーの開閉手段の設け方ではなく、異なる視点からより被覆装着し易いものを提供することをその課題としている。
従って、その開閉部であるスライドファスナーを設けずとも実施することができ、或いはその開閉部をカバーの後部上下方向に１ヶ所のみに設けるだけで、その開閉部を開放して簡単に二輪車の全体に被覆装着できるものを提供することをその課題としている。
【００１３】
バイクの駐車場や駐輪場においては、通常は車体の前部を奥側に後部を手前側に配置して左右横方向に並べて駐車又は駐輪するのであるが、このように駐車又は駐輪した状態で車体カバーを被覆する際には、車体の両側のスペースがないことがあり、このような場合に車体の手前の後部側からカバーを被覆せねばならないこととなる。
本発明は、このような場合に、車体の後部側の位置からカバーを車体の全体に被覆し易くすることを念頭において開発を行ったものである。
【課題を解決するための手段】
【００１４】
上記課題を解決するために、本発明の第１のものは、二輪車の車体の全体を被覆できる立体的形状に形成した底面開口の二輪車用車体カバーにおいて、前記底面開口の周縁部の全体又は一部に重り部材を配設し、前記底面開口の周縁部を二輪車の上方から投げ掛け被覆するようにして、前記重り部材の重力によって前記二輪車用車体カバーの底面開口周縁部が下方に落下して前記二輪車の全体を被覆するようにして装着することができることを特徴とする二輪車用車体カバーである。
【００１５】
本発明の第２のものは、上記第１の発明において、前記重り部材が線状で且つ変形自在に形成されたものから成り、この重り部材を前記二輪車用車体カバーの底面開口周縁部に設けた挿通部内に挿通配設したことを特徴とする二輪車用車体カバーである。
【００１６】
本発明の第３のものは、上記第２の発明において、前記重り部材が金属製チェーン、若しくは、複数の金属球を間隔を維持して又は連続的に紐状部材で連結したものであることを特徴とする二輪車用車体カバーである。
【００１７】
本発明の第４のものは、上記第１の発明において、前記重り部材が金属球又は金属リングからなり、この重り部材を所定間隔を維持して前記底面開口周縁部の全部又は一部に複数固定したことを特徴とする二輪車用車体カバーである。
【００１８】
本発明の第５のものは、上記何れかの発明において、前記二輪車用車体カバーの後部上下方向にスライドファスナーを設けて開閉部としたことを特徴する二輪車用車体カバーである。
【００１９】
本発明の第６のものは、上記何れかの発明において、前記二輪車用車体カバーの底面開口周縁部の後方側に挿通部を更に設け、この挿通部の略中央部には出口部を設け、この挿通部内に前記底面開口周縁部を収束するための収束帯状部材を少なくとも一対配設し、この一対の収束帯状部材の一方端部は挿通部内の両端に固定し、その他方端部はそれぞれ前記出口部から外部に取り出し相互に係着して前記底面開口周縁部を収束できることを特徴とする二輪車用車体カバーである。
【００２０】
本発明の第７のものは、上記何れかの発明において、前記二輪車用車体カバーの上部前端部又は上部後端部に持ち手を設け、前記二輪車用車体カバーの下方部の前方部又は下方部の後方部にはリング錠を挿通するための錠挿通孔を設けたことを特徴とする二輪車用車体カバーである。
【発明の効果】
【００２１】
本発明の第１のものにおいては、二輪車の車体の全体を被覆できる立体的形状に形成した底面開口の二輪車用車体カバーにおいて、前記底面開口の周縁部の全体又は一部に重り部材を配設しているため、例えばカバーの使用者がバイクの駐車場や駐輪場において、その両側にスペースがないような場合、車体の後方側に位置して、カバーの底面開口の周縁部を把持した状態で、二輪車の上方から投げ掛けるようにして、いわば漁網の投網を行う要領で投げ掛けることによって、前記重り部材の重力によって車体カバーの底面開口周縁部が下方に落下して二輪車の前方部から後方部に掛けてその全体を被覆するようにして装着することができるのである。
本発明においては、バイクや自転車が駐車場又は駐輪場で縦方向に駐車又は駐輪し、その両側にスペースが無い状態にあっても、その後方側からいわば投網を投げ掛けるようにして車体に被覆することができるのである。
【００２２】
本発明の第２のものにおいては、上記重り部材の形態と配設状態を特定したものであり、即ち、この重り部材が線状で且つ変形自在に形成されたものから成り、この重り部材を前記二輪車用車体カバーの底面開口周縁部に設けた挿通部内に挿通配設したものからなることを明確にした。
【００２３】
本発明の第３のものにおいては、上記発明と同様に、重り部材をより具体的に特定したものである。
即ち、この重り部材が金属製チェーン、若しくは、複数の金属球を間隔を維持して又は連続的に紐状部材で連結したものであることを特定した。これらの重り部材は線状で変形可能で、カバーの底面開口周縁部の挿通部内に配設できることとなるのである。
【００２４】
ここで更に詳述すると、カバーの底面開口部の周縁部に金属チェーン等を配設することにより、今までよりも非常に掛け易いものとなり、いわば漁師の投網の要領でカバーの裾が開き易くなり、車体に被覆し易くなるのである。
駐車場のスペースが狭く、バイク同士の間隔が狭い場合、その狭い隙間でもカバーの裾を下方に落とし込むことができ、前から後ろへと掛けて行くことによってカバーの全体が素直に自然に金属製チェーンの重みで下方に落下し、非常に掛け易いものとなる。
この重り部材が無い場合には、風等の作用によりカバーの裾が捲り上がることがあり、掛け難くなるのであるが、本発明においてはこの重り部材の作用により簡単には捲り上がらず、非常に掛け易いものとなっているのである。
【００２５】
本発明の第４のものは、上記重り部材の他の形態を特定したものである。
即ち、この重り部材が金属球又は金属リングからなり、この重り部材を所定間隔を維持して前記底面開口周縁部の全部又は一部に複数固定したものである。
この態様では、車体カバーの底面開口周縁部に挿通部を設けずに実施可能となる。
【００２６】
本発明の第５のものにおいては、上記二輪車用車体カバーの後部上下方向にスライドファスナーを設けて開閉部としたものである。
本発明においては、この開閉部を設けずとも実施することができるが、より容易に二輪車にカバーを被覆し易くするために、この開閉部をカバーの後部に設けたものである。
【００２７】
本発明の第６のものにおいては、上記二輪車用車体カバーの底面開口周縁部の後方側に挿通部を更に設け、この挿通部の略中央部には出口部を設け、この挿通部内に前記底面開口周縁部を収束するための収束帯状部材を少なくとも一対配設し、この一対の収束帯状部材の一方端部は挿通部内の両端に固定し、その他方端部はそれぞれ前記出口部から外部に取り出し相互に係着して前記底面開口周縁部を収束できるように構成したものである。
これにより、カバーの底面開口周縁部が収束され、車体カバーは二輪車にフィットするように装着される。
【００２８】
本発明の第７のものにおいては、上記二輪車用車体カバーの上部前端部又は上部後端部に持ち手を設け、前記二輪車用車体カバーの下方部の前方部又は下方部の後方部にはリング錠を挿通するための錠挿通孔を設けたものである。
上記持ち手は、カバーを車体から取り外す場合に、使用者がこの持ち手を把持してカバーを取り外すことが容易となり、上記錠挿通孔にはリング錠を取り付け、二輪車の盗難防止と共に、カバーの盗難防止にも寄与する。
【図面の簡単な説明】
【００２９】
【図１】本発明の一実施形態に係る車体カバーをバイクに被覆した状態の前方側から見た斜視説明図である。
【図２】上記実施形態の後方側から見た斜視説明図である。
【発明を実施するための形態】
【００３０】
以下、添付の図面と共に、本発明の実施形態について説明する。
図１は、本発明の一実施形態に係る車体カバーをバイクに被覆した状態の前方側から見た斜視説明図である。
図２は、上記実施形態の後方側から見た斜視説明図である。
【００３１】
この実施形態に係る車体カバー１０は、バイクの全体形状に合致する立体的形状を有しており、前面構成生地１１、上面構成生地１２、両側の側面構成生地１３、１３、及び後面構成生地１４の複数の構成生地を適宜縫製又は超音波溶着をして底面開口の立体的な形状に形成したものである。
【００３２】
これら構成生地の形状や枚数は、適宜設計変更可能であり、各構成生地を縫着した場合には、縫着部位の裏面に合成樹脂製の防水テープを接着又は溶着することが出来る。
そして、本発明の特徴部分である重り部材は、車体カバー１０の底面開口の周縁部に設けた挿通部２０の内部に配設される。
【００３３】
この挿通部２０は、この実施形態では、後面構成生地１４と両側面構成生地１３、１３の後方側を除く前方部分に設けられている。
この挿通部２０内に重り部材が配設されるのであるが、この実施形態では金属製チェーン２０ｃを重り部材として採用した。
この金属製チェーン２０ｃは、図中では、破線で示している。
【００３４】
この金属製チェーン２０ｃは、その長さを上記挿通部２０の長さと略同一とし、この挿通部２０の端部から端部までの全体に配設している。
そして、その金属製チェーン２０の両端部は上記挿通部２０の両端部内に縫製糸により固定されている。
【００３５】
この重り部材としての金属製チェーン２０ｃは、線状で変形自在のため、カバーの底面開口周縁部に設けた上記挿通部２０の形状に従ってその形を自在に変形できる。
従って、バイクの後部から前方に向かって、車体カバー１０の前方の底面開口周縁部を両手で把持してバイクのハンドル部に投げ掛けるようにして、いわば漁網の投網の如くに投げ掛けるようにしてバイクの前方ハンドル部に被覆させ、その後金属製チェーン２０ｃの重力により車体カバー１０は、バイクの外形に沿うようにして被覆され、その後にバイクの後部に被覆し装着することができる。
【００３６】
また、この実施形態では、後面構成生地１４の略中央上下方向に切込みが設けられ、この部位にスライドファスナー３０を設けて開閉部と成し、開閉自在としている。
この開閉部は、車体カバー１０をバイクに被覆する際に、底面開口周縁部をより大きく広げ、掛けやすくするために設けたものであるが、この開閉部を設けずに実施することも可能である。
【００３７】
更に、本実施形態においては、車体カバー１０の底面開口周縁部を収束させて、車体カバー１０をバイクにしっかりと装着するために、側面構成生地１３の後方下端部に収束手段を設けている。
換言すると、側面構成生地１４の下端の底面開口周縁部の後面構成生地１４寄りの部分に挿通部２５を設け、この内部に収束帯状部材２５ｂ、２５ｂを配設して、これら収束帯状部材２５ｂにより、底面開口周縁部を収束させて装着できるようにしている。
【００３８】
この構成は、両側の側面構成生地１３の下端部に設けてもよいし、片側の側面構成生地１３のみに設けてもよい。
また、その挿通部２５の長さも適宜自由に設定することができる。
側面構成生地１３の両側に設けた場合には、その挿通部２５の前後長さは短いもので足りる。上記収束帯状部材は、伸縮自在の弾性を有するものであってもよい。
【００３９】
上記収束手段についてより詳細に説明すると、側面構成生地１３の下端部に設けた上記挿通部２５において、その中間部に出口部２５ｄを設け、この挿通部２５の内部には一対の収束帯状部材２５ｂ、２５ｂが配設され、それぞれの収束帯状部材２５ｂの基端部は上記挿通部２５内部の両端部に固定され、それぞれの帯状部材２５ｂの先端部２５ｓは、前記出口部２５ｄから外部に取り出され、これら両先端部２５ｓはバックル２５ｆを介して反対側に反転させることが出来、反転されたのちにこれらの先端部２５ｓはそれぞれ挿通部の外部に設けた係着部材に係着させることによって、これら両収束帯状部材２５ｂ、２５ｂは、上記挿通部２５の部分を収束させることができる構造である。
【００４０】
上面構成生地１２の前方側には、この実施形態では、持ち手としての把持部１２ｈを２つ設け、その後方側にも持ち手としての把持部１２ｈを１つ設けている。把持部１２ｈの数と位置は自由に設定することができる。
これらの把持部１２ｈを把持して上方に引き上げることにより車体カバー１０をバイクから取り外すことができる。
【００４１】
それぞれの側面構成生地の前方上部のコーナー部の生地を二重構造とし、下側の生地に複数の孔部を形成してエアー流通孔１３ｖとし、ベンチレーターの機能を付加することもできる。
更に、このエアー流通孔は、それぞれの側面構成生地１３の後方上部のコーナー部に設けることも自由である。
【００４２】
車体カバー１０の両側面構成生地１３、１３の前方下方部又は後方下方部に貫通孔をそれぞれ設けて、リング錠やワイヤー錠等の錠挿通孔１３ｊとすることもできる。
【００４３】
以上の構成からなる本発明に係る車体カバー１０をバイク等の二輪車に被覆する場合の手順は、以下の通りとなる。
後面構成生地に設けられた開閉部であるスライドファスナー３０のスライダー３０ｓを把持して上方に引き上げて開放する。
車体カバー１０の底面開口周縁部に配設された重り部材の前方部分を把持して、漁網の投網を行うようにして、バイクの後方からハンドル部に向かって投げ掛ける。
【００４４】
車体カバー１０の底面開口周縁部の前方部分が重り部材の重力によりバイクの外形に沿って適切に下方部分まで落下してバイクの前方部分を被覆する。
その後、車体カバー１０の後方部分をバイクに順次被覆して後面構成生地のスライドファスナー３０のスライダー３０ｓを引き下げ、閉鎖して被覆が完了する。
その後に収束帯状部材２５ｂ、２５ｂを収束させてカバーの装着が完了する。
【００４５】
以上、本発明の実施形態について説明したが、本発明においては以下の通り種々設計変更が可能である。
車体カバーのサイズやその形態は、バイク又は自転車の種々のタイプに適合するように設計変更可能である。
その構成生地の形状・大きさ・枚数も自由に設定し、設計変更することができる。
【００４６】
本発明で使用する車体カバーの各構成生地としては、各種の素材を使用することができ、例えば、ポリプロピレン、ポリエステル、ナイロン、アクリル、ポリウレタン等々各種の合成樹脂繊維からなる織地等を使用することができるが、変形自在の柔軟な生地が望ましい。
【００４７】
「
他方、重り部材を挿通する挿通部を形成する生地としては、ターポリン（繊維生地を軟質の合成樹脂フィルムでサンドイッチした複合シート、例えば、ナイロン生地の表裏をPVCでサンドイッチしたシート）等の生地を使用して、より強い生地を用いて縫製することもできる。
【００４８】
本発明の特徴部分である重り部材は、上記実施形態では金属製チェーンを用いたが、この重り部材は、金属製小球を紐状部材によって連続的に連結したものであってもよく、また金属製小球は適宜間隔を開けて紐状部材により連結したものであってもよい。
これらの重り部材は、線状のものであって、自由に屈曲可能で変形自在のものであればよく、車体カバーの底面開口周縁部に設けた挿通部内に配設でき、その両端部が前記挿通部内の両端部に固定できるものであれば、どのような重り部材でもよい。
【００４９】
更に、重り部材としては、単なる金属製小球やリングを車体カバーの底面開口周縁部に適宜間隔を開けて複数個縫着し固定することによって形成することもできる。
この場合には、この重り部材を配設するための挿通部を設けずに実施することもできる。
【００５０】
車体カバーの上面構成生地に設けた持ち手としての把持部もその個数や形態を自由に設計変更することができる。この把持部は必ずしも輪状に形成する必要はなく、単に引っ張り可能な舌片、ベルト又は引っ張り片であってもよい。
この持ち手は、カバーの上部前端部に設けたものを赤や黄色に着色することにより、その着色によりそれが前端部であることを識別できるようにすることも可能である。
【００５１】
車体カバーの側面構成生地の下端後方に設けた収束帯状部材は、単なる伸縮自在のゴム紐を使用してこれに代えることもできる。即ち、このゴム紐の両端部を挿通部内部の両端部に固定して、ゴム紐の略中央部を挿通部の略中央の出口部から外に引き出し、引き絞り固定具により固定することにより挿通部（底面開口周縁部）は絞られ、収束させることができる。
【００５２】
車体カバーの両側側面構成生地に設けたベンチレーターとしての複数の孔部に関しても、その位置や数も自由に設定することができる。
このベンチレーターとしの孔部には、雨水等の侵入を防止するために、これらの小孔を被覆するカバー生地を設けて二重構造とすることが肝要である。
【００５３】
車体カバーの後部上下方向に設けた開閉部としてのスライドファスナーに関してもこれを被覆する被覆帯状部材を付加することもできる。
この被覆帯状部材を付加することにより雨水等の侵入を防止することが可能となる。
【００５４】
以上、本発明においては、二輪車用車体カバーを形成するためにその底面開口の周縁部に重り部材を配設することにより、二輪車に被覆装着するに際して、いわば投網を投げるような仕方で二輪車に被覆装着することができ、従来にない極めて簡単に二輪車に装着できる二輪車用車体カバーを提供することができた。
【符号の説明】
【００５５】
１０  車体カバー
１１  前面構成生地
１２  上面構成生地
１２ｈ  把持部（持ち手）
１３  側面構成生地
１３ｊ  錠挿通孔
１３ｖ  エアー挿通孔
１４  後面構成生地
２０、２５  挿通部
２０ｃ  金属製チェーン（重り部材）
２５ｂ  収束帯状部材
２５ｄ  出口部（挿通部の）
２５ｆ  バックル
２５ｓ  先端部（収束帯状部材の）
３０  スライドファスナー
３０ｓ  スライダー
【図１】
2019196026.tif 000003
【図２】
2019196026.tif 000004
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
二輪車の車体の全体を被覆できる立体的形状に形成した底面開口の二輪車用車体カバーにおいて、
前記底面開口の周縁部の全体又は一部に重り部材を配設し、
前記底面開口の周縁部を二輪車の上方から投げ掛け被覆するようにして、前記重り部材の重力によって前記二輪車用車体カバーの底面開口周縁部が下方に落下して前記二輪車の全体を被覆するようにして装着することができ、
前記重り部材が線状で且つ変形自在に形成されたものから成り、
この重り部材を前記二輪車用車体カバーの底面開口周縁部に設けた挿通部内に挿通配設したことを特徴とする二輪車用車体カバー。
【請求項２】
前記重り部材が金属製チェーン、若しくは、複数の金属球を間隔を維持して又は連続的に紐状部材で連結したものであることを特徴とする請求項１に記載の二輪車用車体カバー。
【請求項３】
前記二輪車用車体カバーの後部上下方向にスライドファスナーを設けて開閉部としたことを特徴する請求項１又は２に記載の二輪車用車体カバー。
【請求項４】
前記二輪車用車体カバーの底面開口周縁部の後方側に挿通部を更に設け、この挿通部の略中央部には出口部を設け、この挿通部内に前記底面開口周縁部を収束するための収束帯状部材を少なくとも一対配設し、この一対の収束帯状部材の一方端部は挿通部内の両端に固定し、その他方端部はそれぞれ前記出口部から外部に取り出し相互に係着して前記底面開口周縁部を収束できることを特徴とする請求項１乃至３の何れか１項に記載の二輪車用車体カバー。
【請求項５】
前記二輪車用車体カバーの上部前端部又は上部後端部に持ち手を設け、前記二輪車用車体カバーの下方部の前方部又は下方部の後方部にはリング錠を挿通するための錠挿通孔を設けたことを特徴とする請求項１乃至４の何れか１項に記載の二輪車用車体カバー。
【手続補正２】
【補正対象書類名】明細書
【補正対象項目名】００１４
【補正方法】変更
【補正の内容】
【００１４】
上記課題を解決するために、本発明の第１のものは、二輪車の車体の全体を被覆できる立体的形状に形成した底面開口の二輪車用車体カバーにおいて、前記底面開口の周縁部の全体又は一部に重り部材を配設し、前記底面開口の周縁部を二輪車の上方から投げ掛け被覆するようにして、前記重り部材の重力によって前記二輪車用車体カバーの底面開口周縁部が下方に落下して前記二輪車の全体を被覆するようにして装着することができ、前記重り部材が線状で且つ変形自在に形成されたものから成り、この重り部材を前記二輪車用車体カバーの底面開口周縁部に設けた挿通部内に挿通配設したことを特徴とする二輪車用車体カバーである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の第２のものは、上記第１の発明において、前記重り部材が金属製チェーン、若しくは、複数の金属球を間隔を維持して又は連続的に紐状部材で連結したものであることを特徴とする二輪車用車体カバーである。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
本発明の第３のものは、上記何れかの発明において、前記二輪車用車体カバーの後部上下方向にスライドファスナーを設けて開閉部としたことを特徴する二輪車用車体カバーである。
【手続補正７】
【補正対象書類名】明細書
【補正対象項目名】００１９
【補正方法】変更
【補正の内容】
【００１９】
本発明の第４のものは、上記何れかの発明において、前記二輪車用車体カバーの底面開口周縁部の後方側に挿通部を更に設け、この挿通部の略中央部には出口部を設け、この挿通部内に前記底面開口周縁部を収束するための収束帯状部材を少なくとも一対配設し、この一対の収束帯状部材の一方端部は挿通部内の両端に固定し、その他方端部はそれぞれ前記出口部から外部に取り出し相互に係着して前記底面開口周縁部を収束できることを特徴とする二輪車用車体カバーである。
【手続補正８】
【補正対象書類名】明細書
【補正対象項目名】００２０
【補正方法】変更
【補正の内容】
【００２０】
本発明の第５のものは、上記何れかの発明において、前記二輪車用車体カバーの上部前端部又は上部後端部に持ち手を設け、前記二輪車用車体カバーの下方部の前方部又は下方部の後方部にはリング錠を挿通するための錠挿通孔を設けたことを特徴とする二輪車用車体カバーである。
【手続補正９】
【補正対象書類名】明細書
【補正対象項目名】００２２
【補正方法】変更
【補正の内容】
【００２２】
本発明においては、上記重り部材の形態と配設状態を特定したものであり、即ち、この重り部材が線状で且つ変形自在に形成されたものから成り、この重り部材を前記二輪車用車体カバーの底面開口周縁部に設けた挿通部内に挿通配設したものからなることを明確にした。
【手続補正１０】
【補正対象書類名】明細書
【補正対象項目名】００２３
【補正方法】変更
【補正の内容】
【００２３】
本発明の第２のものにおいては、上記発明と同様に、重り部材をより具体的に特定したものである。
即ち、この重り部材が金属製チェーン、若しくは、複数の金属球を間隔を維持して又は連続的に紐状部材で連結したものであることを特定した。これらの重り部材は線状で変形可能で、カバーの底面開口周縁部の挿通部内に配設できることとなるのである。
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
本発明の第３のものにおいては、上記二輪車用車体カバーの後部上下方向にスライドファスナーを設けて開閉部としたものである。
本発明においては、この開閉部を設けずとも実施することができるが、より容易に二輪車にカバーを被覆し易くするために、この開閉部をカバーの後部に設けたものである。
【手続補正１３】
【補正対象書類名】明細書
【補正対象項目名】００２７
【補正方法】変更
【補正の内容】
【００２７】
本発明の第４のものにおいては、上記二輪車用車体カバーの底面開口周縁部の後方側に挿通部を更に設け、この挿通部の略中央部には出口部を設け、この挿通部内に前記底面開口周縁部を収束するための収束帯状部材を少なくとも一対配設し、この一対の収束帯状部材の一方端部は挿通部内の両端に固定し、その他方端部はそれぞれ前記出口部から外部に取り出し相互に係着して前記底面開口周縁部を収束できるように構成したものである。
これにより、カバーの底面開口周縁部が収束され、車体カバーは二輪車にフィットするように装着される。
【手続補正１４】
【補正対象書類名】明細書
【補正対象項目名】００２８
【補正方法】変更
【補正の内容】
【００２８】
本発明の第５のものにおいては、上記二輪車用車体カバーの上部前端部又は上部後端部に持ち手を設け、前記二輪車用車体カバーの下方部の前方部又は下方部の後方部にはリング錠を挿通するための錠挿通孔を設けたものである。
上記持ち手は、カバーを車体から取り外す場合に、使用者がこの持ち手を把持してカバーを取り外すことが容易となり、上記錠挿通孔にはリング錠を取り付け、二輪車の盗難防止と共に、カバーの盗難防止にも寄与する。